(57)【要約】【課題】静電チャックに吸着された第１被吸着体及び第２被吸着体を良好に静電チャックから分離する。【解決手段】本発明の静電チャックシステムは、電極部を含む静電チャックと、前記静電チャックの前記電極部に印加する電圧を制御するための電圧制御部とを含み、前記静電チャックの電極部に第１被吸着体が吸着され、かつ、前記静電チャックの電極部に前記第１被吸着体を介して第２被吸着体が吸着されているときに、前記電圧制御部は、互いに接触した前記第１被吸着体と前記第２吸着体とを前記静電チャックから共に分離させるための分離電圧を印加することを特徴とする。【選択図】図７
2020053663.tif 000002
【特許請求の範囲】
【請求項１】
電極部を含む静電チャックと、
前記静電チャックの前記電極部に印加する電圧を制御するための電圧制御部と、
を含み、
前記静電チャックの電極部に第１被吸着体が吸着され、かつ、前記静電チャックの電極部に前記第１被吸着体を介して第２被吸着体が吸着されているときに、前記電圧制御部は、互いに接触した前記第１被吸着体と前記第２吸着体とを前記静電チャックから共に分離させるための分離電圧を印加する
ことを特徴とする静電チャックシステム。
【請求項２】
前記第１被吸着体は、絶縁性材料からなる基板であり、
前記第２被吸着体は、金属性材料からなるマスクである
ことを特徴とする請求項１に記載の静電チャックシステム。
【請求項３】
前記電極部への前記分離電圧の印加の際に、前記第２被吸着体は接地された支持手段によって支持される
ことを特徴とする請求項１または２に記載の静電チャックシステム。
【請求項４】
前記分離電圧は、ゼロ（０）電圧、または前記第１被吸着体及び第２被吸着体を前記静電チャックに吸着させる時の吸着電圧とは逆極性の電圧である
ことを特徴とする請求項１〜３のいずれか一項に記載の静電チャックシステム。
【請求項５】
基板にマスクを介して成膜を行うための成膜装置であって、
第１被吸着体である基板と第２被吸着体であるマスクを吸着するための静電チャックシステムを含み、
前記静電チャックシステムは、請求項１〜４のいずれか一項に記載の静電チャックシステムである
ことを特徴とする成膜装置。
【請求項６】
静電チャックの電極部から、当該電極部に吸着された被吸着体を分離する分離方法であって、
前記静電チャックの電極部に第１被吸着体が吸着され、かつ、前記静電チャックの電極部に前記第１被吸着体を介して第２被吸着体が吸着されているときに、互いに接触した前記第１被吸着体と前記２被吸着体とを前記静電チャックから共に分離させるための分離電圧を印加する工程と、
前記電圧を印加する工程の後に、前記第１被吸着体を支持する支持手段を移動させて、前記第１被吸着体を前記第２被吸着体から離隔させる工程と、
を含むことを特徴とする分離方法。
【請求項７】
前記第１被吸着体は、絶縁性材料からなる基板であり、
前記第２被吸着体は、金属性材料からなるマスクである
ことを特徴とする請求項６に記載の分離方法。
【請求項８】
前記電極部への前記分離電圧の印加の際に、前記第２被吸着体は接地された支持手段により支持される
ことを特徴とする請求項６または７に記載の分離方法。
【請求項９】
前記分離電圧は、ゼロ（０）の電圧、または前記第１被吸着体および第２被吸着体を前記静電チャックに吸着させる時の吸着電圧とは逆極性の電圧である
ことを特徴とする請求項６〜８のいずれか一項に記載の分離方法。
【請求項１０】
基板にマスクを介して蒸着材料を成膜する方法であって、
真空容器内にマスクを搬入する工程と、
真空容器内に基板を搬入する工程と、
静電チャックの電極部に第１吸着電圧を印加して、前記基板を静電チャックに吸着する工程と、
前記電極部に第２吸着電圧を印加して、前記静電チャックに前記基板を介して前記マスクを吸着する工程と、
前記静電チャックに前記基板と前記マスクが吸着した状態で、蒸着材料を蒸発させ、前記マスクを介して前記基板に蒸着材料を成膜する工程と、
請求項６〜９のいずれか一項に記載の分離方法を用いて、前記静電チャックから、第２被吸着体としての前記マスクと、第１被吸着体としての前記基板を分離する工程と
を含むことを特徴とする成膜方法。
【請求項１１】
請求項１０の成膜方法を用いて、電子デバイスを製造する
ことを特徴とする電子デバイスの製造方法。
【発明の詳細な説明】
【技術分野】
【０００１】
本発明は、静電チャックシステム、成膜装置、被吸着体分離方法、成膜方法及び電子デバイスの製造方法に関するものである。
【背景技術】
【０００２】
有機ＥＬ表示装置（有機ＥＬディスプレイ）の製造においては、有機ＥＬ表示装置を構成する有機発光素子（有機ＥＬ素子；ＯＬＥＤ）を形成する際に、成膜装置の蒸発源から蒸発した蒸着材料を、画素パターンが形成されたマスクを介して、基板に蒸着させることで、有機物層や金属層を形成する。
【０００３】
上向き蒸着方式（デポアップ）の成膜装置において、蒸発源は成膜装置の真空容器の下部に設けられ、基板は真空容器の上部に配置され、基板の下面に蒸着される。このような上向き蒸着方式の成膜装置の真空容器内において、基板はその下面の周辺部だけが基板ホルダによって保持されるので、基板がその自重によって撓み、これが蒸着精度を落とす一つの要因となっている。上向き蒸着方式以外の方式の成膜装置においてもまた、基板の自重による撓みが生じる可能性がある。
【０００４】
基板の自重による撓みを低減するための方法として、静電チャックを使う技術が検討されている。すなわち、基板の上面をその全体にわたって静電チャックで吸着することで、基板の撓みを低減することができる。
【０００５】
特許文献１（韓国特許公開第２００７−００１０７２３号公報）では、静電チャックで基板及びマスクを吸着する技術が提案されている。
【先行技術文献】
【特許文献】
【０００６】
【特許文献１】韓国特許公開第２００７−００１０７２３号公報
【発明の概要】
【発明が解決しようとする課題】
【０００７】
しかし、特許文献１は、静電チャックから被吸着体としての基板及びマスクを分離する際の電圧制御については、開示がない。
【０００８】
本発明は、静電チャックに吸着された第１被吸着体及び第２被吸着体を良好に静電チャックから分離することを目的にする。
【課題を解決するための手段】
【０００９】
本発明の一実施形態による静電チャックシステムは、電極部を含む静電チャックと、前記静電チャックの前記電極部に印加する電圧を制御するための電圧制御部とを含み、前記静電チャックの電極部に第１被吸着体が吸着され、かつ、前記静電チャックの電極部に前記第１被吸着体を介して第２被吸着体が吸着されているときに、前記電圧制御部は、互いに接触した前記第１被吸着体と前記第２吸着体とを前記静電チャックから共に分離させるための分離電圧を印加することを特徴とする。
【００１０】
本発明の一実施形態による成膜装置は、基板にマスクを介して成膜を行うための成膜装置であって、第１被吸着体である基板と第２被吸着体であるマスクを吸着するための静電
チャックシステムを含み、前記静電チャックシステムは前記本発明の一実施形態による静電チャックシステムであることを特徴とする。
【００１１】
本発明の一実施形態による被吸着体分離方法は、静電チャックの電極部から、当該電極部に吸着された被吸着体を分離する分離方法であって、前記静電チャックの電極部に第１被吸着体が吸着され、かつ、前記静電チャックの電極部に前記第１被吸着体を介して第２被吸着体が吸着されているときに、互いに接触した前記第１被吸着体と前記２被吸着体とを前記静電チャックから共に分離させるための分離電圧を印加する工程と、前記電圧を印加する工程の後に、前記第１被吸着体を支持する支持手段を移動させて、前記第１被吸着体を前記第２被吸着体から離隔させる工程とを含むことを特徴とする。
【００１２】
本発明の一実施形態による成膜方法は、基板にマスクを介して蒸着材料を成膜する方法であって、真空容器内にマスクを搬入する工程と、真空容器内に基板を搬入する工程と、静電チャックの電極部に第１吸着電圧を印加して、前記基板を静電チャックに吸着する工程と、前記電極部に第２吸着電圧を印加して、前記静電チャックに前記基板を介して前記マスクを吸着する工程と、前記静電チャックに前記基板と前記マスクが吸着した状態で、蒸着材料を蒸発させ、前記マスクを介して前記基板に蒸着材料を成膜する工程と、前記本発明の一実施形態による分離方法を用いて、前記静電チャックから、第２被吸着体としての前記マスクと、第１被吸着体としての前記基板を分離する工程とを含むことを特徴とする。
【００１３】
本発明の一実施形態による電子デバイスの製造方法は、前記本発明の一実施形態による成膜方法を用いて電子デバイスを製造することを特徴とする。
【発明の効果】
【００１４】
本発明によれば、静電チャックに吸着された第１被吸着体及び第２被吸着体を良好に分離することができる。
【図面の簡単な説明】
【００１５】
【図１】図１は、電子デバイスの製造装置の一部の模式図である。
【図２】図２は、本発明の一実施形態による成膜装置の模式図である。
【図３ａ】図３ａは、本発明の一実施形態による静電チャックシステムの概念図である。
【図３ｂ】図３ｂは、本発明の一実施形態による静電チャックシステムの模式的な断面図である。
【図３ｃ】図３ｃは、本発明の一実施形態による静電チャックシステムの模式的な平面図である。
【図４】図４は、静電チャックへの基板の吸着シーケンスを示す工程図である。
【図５】図５は、静電チャックへのマスクの吸着シーケンスを示す工程図である。
【図６】図６は、静電チャックからのマスク及び基板の分離シーケンスを示す工程図である。
【図７】図７は、静電チャックに印加される電圧の変化を示すグラフである。
【図８】図８は、電子デバイスを示す模式図である。
【発明を実施するための形態】
【００１６】
以下、図面を参照しつつ本発明の好適な実施形態及び実施例を説明する。ただし、以下の実施形態及び実施例は本発明の好ましい構成を例示的に示すものにすぎず、本発明の範囲はそれらの構成に限定されない。また、以下の説明における、装置のハードウェア構成及びソフトウェア構成、処理フロー、製造条件、寸法、材質、形状などは、特に特定的な記載がないかぎりは、本発明の範囲をそれらのみに限定する趣旨のものではない。
本発明は、基板の表面に各種材料を堆積させて成膜を行う装置に適用することができ、真空蒸着によって所望のパターンの薄膜（材料層）を形成する装置に望ましく適用することができる。基板の材料としては、ガラス、高分子材料のフィルム、金属などの任意の材料を選択することができ、基板は、例えば、ガラス基板上にポリイミドなどのフィルムが積層された基板であってもよい。また、蒸着材料としても、有機材料、金属性材料（金属、金属酸化物など）などの任意の材料を選択してもよい。なお、以下の説明において示す真空蒸着装置以外にも、スパッタ装置やＣＶＤ（Ｃｈｅｍｉｃａｌ  Ｖａｐｏｒ  Ｄｅｐｏｓｉｔｉｏｎ）装置を含む成膜装置にも、本発明を適用することができる。本発明の技術は、具体的には、有機電子デバイス（例えば、有機発光素子、薄膜太陽電池）、光学部材などの製造装置に適用可能である。その中でも、蒸着材料を蒸発させてマスクを介して基板に蒸着させることで有機発光素子を形成する有機発光素子の製造装置は、本発明の好ましい適用例の一つである。
【００１７】
＜電子デバイスの製造装置＞
図１は、電子デバイスの製造装置の一部の構成を模式的に示す平面図である。
図１の製造装置は、例えば、スマートフォン用の有機ＥＬ表示装置の表示パネルの製造に用いられる。スマートフォン用の表示パネルの場合、例えば、４．５世代の基板（約７００ｍｍ×約９００ｍｍ）や６世代のフルサイズ（約１５００ｍｍ×約１８５０ｍｍ）又はハーフカットサイズ（約１５００ｍｍ×約９２５ｍｍ）の基板に、有機ＥＬ素子の形成のための成膜を行った後、該基板を切り抜いて複数の小さなサイズのパネルを作成する。
【００１８】
電子デバイスの製造装置は、一般的に、複数のクラスタ装置１と、クラスタ装置の間を繋ぐ中継装置とを含む。
【００１９】
クラスタ装置１は、基板Ｓに対する処理（例えば、成膜）を行う複数の成膜装置１１と、使用前後のマスクＭを収納する複数のマスクストック装置１２と、その中央に配置される搬送室１３と、を具備する。搬送室１３は、図１に示すように、複数の成膜装置１１およびマスクストック装置１２のそれぞれと接続されている。
【００２０】
搬送室１３内には、基板およびマスクを搬送する搬送ロボット１４が配置されている。搬送ロボット１４は、上流側に配置された中継装置のパス室１５から成膜装置１１へと基板Ｓを搬送する。また、搬送ロボット１４は、成膜装置１１とマスクストック装置１２との間でマスクＭを搬送する。搬送ロボット１４は、例えば、多関節アームに、基板Ｓ又はマスクＭを保持するロボットハンドが取り付けられた構造を有するロボットである。
【００２１】
成膜装置１１（蒸着装置とも呼ぶ）では、蒸発源に収納された蒸着材料がヒータによって加熱されて蒸発し、マスクを介して基板上に蒸着される。搬送ロボット１４との基板Ｓの受け渡し、基板ＳとマスクＭの相対位置の調整（アライメント）、マスクＭ上への基板Ｓの固定、成膜（蒸着）などの一連の成膜プロセスは、成膜装置１１によって行われる。
【００２２】
マスクストック装置１２には、成膜装置１１での成膜工程に使われる新しいマスクと、使用済みのマスクとが、二つのカセットに分けて収納される。搬送ロボット１４は、使用済みのマスクを成膜装置１１からマスクストック装置１２のカセットに搬送し、マスクストック装置１２の他のカセットに収納された新しいマスクを成膜装置１１に搬送する。
【００２３】
クラスタ装置１には、基板Ｓの流れ方向において上流側から搬送された基板Ｓを当該クラスタ装置１に搬送するパス室１５と、当該クラスタ装置１で成膜処理が完了した基板Ｓを下流側の他のクラスタ装置に搬送するためのバッファー室１６が連結される。搬送室１３の搬送ロボット１４は、上流側のパス室１５から基板Ｓを受け取って、当該クラスタ装置１内の成膜装置１１の一つ（例えば、成膜装置１１ａ）に搬送する。また、搬送ロボッ
ト１４は、当該クラスタ装置１での成膜処理が完了した基板Ｓを複数の成膜装置１１の一つ（例えば、成膜装置１１ｂ）から受け取って、下流側に連結されたバッファー室１６に搬送する。
【００２４】
バッファー室１６とパス室１５との間には、基板の向きを変える旋回室１７が設置される。旋回室１７には、バッファー室１６から基板Ｓを受け取って基板Ｓを１８０°回転させ、パス室１５に搬送するための搬送ロボット１８が設けられる。これにより、上流側のクラスタ装置と下流側のクラスタ装置で基板Ｓの向きが同じになり、基板処理が容易になる。
【００２５】
パス室１５、バッファー室１６、旋回室１７は、クラスタ装置間を連結する、いわゆる中継装置であり、クラスタ装置の上流側及び／又は下流側に設置される中継装置は、パス室、バッファー室、旋回室のうち少なくとも１つを含む。
【００２６】
成膜装置１１、マスクストック装置１２、搬送室１３、バッファー室１６、旋回室１７などは、有機発光素子の製造の過程で、高真空状態に維持される。パス室１５は、通常低真空状態に維持されるが、必要に応じて高真空状態に維持されてもいい。
【００２７】
本実施例では、図１を参照して、電子デバイスの製造装置の構成について説明したが、本発明はこれに限定されず、他の種類の装置やチャンバーを有してもよく、これらの装置やチャンバー間の配置が変わってもいい。
以下、成膜装置１１の具体的な構成について説明する。
【００２８】
＜成膜装置＞
図２は、成膜装置１１の構成を示す模式図である。以下の説明においては、鉛直方向をＺ方向とするＸＹＺ直交座標系を用いる。成膜時に基板Ｓが水平面（ＸＹ平面）と平行となるよう固定された場合、基板Ｓの短手方向（短辺に平行な方向）をＸ方向、長手方向（長辺に平行な方向）をＹ方向とする。また、Ｚ軸まわりの回転角をθで表す。
【００２９】
成膜装置１１は、真空雰囲気又は窒素ガスなどの不活性ガス雰囲気に維持される真空容器２１と、真空容器２１の内部に設けられる、基板支持ユニット２２と、マスク支持ユニット２３と、静電チャック２４と、蒸発源２５とを含む。
【００３０】
基板支持ユニット２２は、搬送室１３に設けられた搬送ロボット１４が搬送して来る基板Ｓを受取って保持する手段であり、基板ホルダとも呼ばれる。
【００３１】
基板支持ユニット２２の下方には、マスク支持ユニット２３が設けられる。マスク支持ユニット２３は、搬送室１３に設けられた搬送ロボット１４が搬送して来るマスクＭを受取って保持する手段であり、マスクホルダとも呼ばれる。
【００３２】
マスクＭは、基板Ｓ上に形成する薄膜パターンに対応する開口パターンを有し、マスク支持ユニット２３の上に載置される。特に、スマートフォン用の有機ＥＬ素子を製造するのに使われるマスクは、微細な開口パターンが形成された金属製のマスクであり、ＦＭＭ（Ｆｉｎｅ  Ｍｅｔａｌ  Ｍａｓｋ）とも呼ぶ。
【００３３】
基板支持ユニット２２の上方には、基板を静電引力によって吸着し固定するための静電チャック２４が設けられる。静電チャック２４は、誘電体マトリックス内に金属電極などの電気回路が埋設された構造を有する。誘電体の材質は例えば、セラミックである。静電チャック２４は、クーロン力タイプの静電チャックであってもよいし、ジョンソン・ラーベック力タイプの静電チャックであってもよいし、グラジエント力タイプの静電チャック
であってもよい。静電チャック２４は、グラジエント力タイプの静電チャックであることが好ましい。静電チャック２４としてグラジエント力タイプの静電チャックを用いることによって、基板Ｓが絶縁性材料の基板である場合であっても、静電チャック２４によって基板Ｓを良好に吸着することができる。静電チャック２４がクーロン力タイプの静電チャックである場合には、金属電極にプラス（＋）及びマイナス（−）の電圧が印加されると、誘電体マトリックスを通じて基板Ｓなどの被吸着体に金属電極と反対極性の分極電荷が誘導され、これら間の静電引力によって基板Ｓが静電チャック２４に吸着固定される。
【００３４】
静電チャック２４は、一つのプレートで形成されてもよく、複数のサブプレートを有するように形成されてもいい。また、一つのプレートで形成される場合にも、その内部に複数の電気回路を含み、一つのプレート内で位置によって静電引力が異なるように制御してもいい。
【００３５】
本実施形態では、後述のように、成膜前に静電チャック２４で、基板Ｓ（第１被吸着体）だけでなく、マスクＭ（第２被吸着体）をも吸着し保持する。その後、静電チャック２４で基板Ｓ（第１被吸着体）とマスクＭ（第２被吸着体）を保持した状態で成膜を行い、成膜を完了した後には基板Ｓ（第１被吸着体）とマスクＭ（第２被吸着体）に対する静電チャック２４による保持を解除する。
【００３６】
即ち、本実施例では、静電チャック２４の鉛直方向の下側に置かれた基板Ｓ（第１被吸着体）を静電チャックで吸着及び保持し、その後、基板Ｓ（第１被吸着体）を挟んで静電チャック２４と反対側に置かれたマスクＭ（第２被吸着体）を、基板Ｓ（第１被吸着体）を介して静電チャック２４で吸着し保持する。そして、静電チャック２４で基板Ｓ（第１被吸着体）とマスクＭ（第２被吸着体）を保持した状態で成膜を行った後に、基板Ｓ（第１被吸着体）とマスクＭ（第２被吸着体）を静電チャック２４から剥離する。その際、マスクＭ（第２被吸着体）と、基板Ｓ（第１被吸着体）を同時に静電チャック２４から剥離する。これについては、図４〜図７を参照して後述する。
【００３７】
図２には図示しなかったが、静電チャック２４の吸着面とは反対側に基板Ｓの温度上昇を抑える冷却機構（例えば、冷却板）を設けることで、基板Ｓ上に堆積された有機材料の変質や劣化を抑制する構成としてもよい。
【００３８】
蒸発源２５は、基板に成膜される蒸着材料が収納されるるつぼ（不図示）、るつぼを加熱するためのヒータ（不図示）、蒸発源からの蒸発レートが一定になるまで蒸着材料が基板に飛散することを阻むシャッタ（不図示）などを含む。蒸発源２５は、点（ｐｏｉｎｔ）蒸発源や線状（ｌｉｎｅａｒ）蒸発源など、用途に従って多様な構成を有することができる。
【００３９】
図２に図示しなかったが、成膜装置１１は、基板に蒸着された膜の厚さを測定するための膜厚モニタ（不図示）及び膜厚算出ユニット（不図示）を含む。
【００４０】
真空容器２１の上部外側（大気側）には、基板Ｚアクチュエータ２６、マスクＺアクチュエータ２７、静電チャックＺアクチュエータ２８、位置調整機構２９などが設けられる。これらのアクチュエータと位置調整機構は、例えば、モータとボールねじ、或いはモータとリニアガイドなどで構成される。基板Ｚアクチュエータ２６は、基板支持ユニット２２を昇降（Ｚ方向移動）させるための駆動手段である。マスクＺアクチュエータ２７は、マスク支持ユニット２３を昇降（Ｚ方向移動）させるための駆動手段である。静電チャックＺアクチュエータ２８は、静電チャック２４を昇降（Ｚ方向移動）させるための駆動手段である。
【００４１】
位置調整機構２９は、静電チャック２４のアライメントのための駆動手段である。位置調整機構２９は、静電チャック２４全体をＸ方向移動、Ｙ方向移動、θ回転させる。これにより、静電チャック２４の、基板支持ユニット２２及びマスク支持ユニット２３に対する位置が変化する。なお、本実施形態では、基板Ｓを吸着した状態で、静電チャック２４をＸ、Ｙ、θ方向に位置調整することで、基板ＳとマスクＭの相対的位置を調整するアライメントを行う。
【００４２】
真空容器２１の外側上面には、上述した駆動機構の他に、真空容器２１の上面に設けられた透明窓を介して、基板Ｓ及びマスクＭに形成されたアライメントマークを撮影するためのアライメント用カメラ２０を設置してもよい。本実施例においては、アライメント用カメラ２０を、矩形の基板Ｓ、マスクＭ及び静電チャック２４の対角線に対応する位置または、矩形の４つのコーナー部に対応する位置に設置してもよい。
【００４３】
本実施形態の成膜装置１１に設置されるアライメント用カメラ２０は、基板ＳとマスクＭとの相対的な位置を高精度で調整するのに使われるファインアライメント用カメラであり、視野角は狭いが高解像度を持つカメラである。成膜装置１１は、ファインアライメント用カメラ２０の他に相対的に視野角が広くて低解像度であるラフアライメント用カメラを有してもよい。
【００４４】
位置調整機構２９は、アライメント用カメラ２０によって取得した基板Ｓ（第１被吸着体）及びマスクＭ（第２被吸着体）の位置情報に基づいて、基板Ｓ（第１被吸着体）とマスクＭ（第２被吸着体）を相対的に移動させて位置調整するアライメントを行う。
【００４５】
成膜装置１１は、制御部（不図示）を具備する。制御部は、基板Ｓの搬送及びアライメント、蒸発源２５の制御、成膜の制御などの機能を有する。制御部は、例えば、プロセッサ、メモリー、ストレージ、Ｉ／Ｏなどを持つコンピューターによって構成可能である。この場合、制御部の機能はメモリーまたはストレージに格納されたプログラムをプロセッサが実行することにより実現される。コンピューターとしては、汎用のパーソナルコンピューターを使用してもよく、組込み型のコンピューターまたはＰＬＣ（ｐｒｏｇｒａｍｍａｂｌｅ  ｌｏｇｉｃ  ｃｏｎｔｒｏｌｌｅｒ）を使用してもよい。または、制御部の機能の一部または全部をＡＳＩＣやＦＰＧＡのような回路で構成してもよい。また、成膜装置ごとに制御部が設置されていてもよく、一つの制御部が複数の成膜装置を制御するように構成してもよい。
【００４６】
＜静電チャックシステム＞
図３ａ〜図３ｃを参照して本実施形態による静電チャックシステム３０について説明する。
【００４７】
図３ａは、本実施形態の静電チャックシステム３０の概念的なブロック図であり、図３ｂは、静電チャック２４の模式的な断面図であり、図３ｃは、静電チャック２４の模式的な平面図である。
【００４８】
本実施形態の静電チャックシステム３０は、図３ａに示したように、静電チャック２４と、電圧印加部３１と、電圧制御部３２とを含む。
【００４９】
電圧印加部３１は、静電チャック２４の電極部に静電引力を発生させるための電圧を印加する。
電圧制御部３２は、静電チャックシステム３０の吸着工程または成膜装置１１の成膜工程の進行に応じて、電圧印加部３１により電極部に加えられる電圧の大きさ、電圧の印加開始時点、電圧の維持時間、電圧の印加順序などを制御する。電圧制御部３２は、例えば
、静電チャック２４の電極部に含まれる複数のサブ電極部２４１〜２４９に印加する電圧を、サブ電極部ごとに独立的に制御することができる。本実施形態では、電圧制御部３２が成膜装置１１の制御部とは別に備えられるが、本発明はこれに限定されず、電圧制御部３２が成膜装置１１の制御部に統合されてもよい。
【００５０】
静電チャック２４は、吸着面に被吸着体（例えば、基板Ｓ、マスクＭ）を吸着するための静電吸着力を発生させる電極部を含み、電極部は、複数のサブ電極部２４１〜２４９を含むことができる。例えば、本実施形態の静電チャック２４は、図３ｃに示したように、静電チャック２４の長手方向（Ｙ方向）および／または、静電チャック２４の短手方向（Ｘ方向）に沿って、分割された複数のサブ電極部２４１〜２４９を含む。
【００５１】
各々のサブ電極部は、静電吸着力を発生させるためにプラス（第１極性）及びマイナス（第２極性）の電圧が印加される電極対３３を含む。例えば、それぞれの電極対３３は、プラス電圧が印加される第１電極３３１と、マイナス電圧が印加される第２電極３３２とを含む。
【００５２】
第１電極３３１及び第２電極３３２は、図３ｃに図示したように、それぞれ櫛歯形状を有する。例えば、第１電極３３１及び第２電極３３２は、それぞれ複数の櫛歯部と、複数の櫛歯部に連結される基部とを含む。各電極３３１，３３２の基部は櫛歯部に電圧を供給し、複数の櫛歯部は、被吸着体との間で静電吸着力を生じさせる。一つのサブ電極部において、第１電極３３１の各櫛歯部は、第２電極３３２の各櫛歯部と対向するように、交互に配置される。このように、各電極３３１，３３２の各櫛歯部が対向しかつ互いに入り組んだ構成とすることで、異なる電圧が印加される電極間の間隔を狭くすることができ、大きな不平等電界を形成し、グラジエント力によって基板Ｓを吸着することができる。
【００５３】
本実施例においては、静電チャック２４のサブ電極部２４１〜２４９の各電極３３１，３３２が櫛歯形状を有すると説明したが、本発明はそれに限定されず、被吸着体との間で静電引力を発生させることができる限り、多様な形状を持つことができる。
【００５４】
本実施形態の静電チャック２４は、複数のサブ電極部に対応する複数の吸着部を有する。例えば、本実施例の静電チャック２４は、図３ｃに図示したように、９つのサブ電極部２４１〜２４９に対応する９つの吸着部を有するが、吸着部の数はこれに限定されず、他の個数の吸着部を有してもいい。例えば、基板Ｓの吸着をより精緻に制御するため、より多数の吸着部を有してもいい。
【００５５】
吸着部は、静電チャック２４の長手方向（Ｙ軸方向）及び短手方向（Ｘ軸方向）に分割されるように設けられるが、これに限定されず、静電チャック２４の長手方向または短手方向だけに分割されてもいい。複数の吸着部は、物理的に一つのプレートが複数の電極部を持つことで実現されてもよく、物理的に分割された複数のプレートそれぞれが一つまたはそれ以上の電極部を持つことで実現されてもいい。
【００５６】
例えば、図３ｃに示した実施例において、複数の吸着部それぞれが複数のサブ電極部それぞれに対応するような構成でもよく、一つの吸着部が複数のサブ電極部を含むような構成でもよい。
【００５７】
つまり、電圧制御部３２によるサブ電極部２４１〜２４９への電圧の印加を制御することで、後述するように、基板Ｓの吸着進行方向（Ｘ方向）と交差する方向（Ｙ方向）に配置された３つのサブ電極部２４１、２４４、２４７が一つの吸着部を成すようにすることができる。すなわち、３つのサブ電極部２４１、２４４、２４７それぞれは、独立的に電圧制御が可能であるが、これら３つの電極部２４１、２４４、２４７に同時に電圧が印加
されるように制御することで、これら３つの電極部２４１、２４４、２４７が一つの吸着部として機能するようにすることができる。複数の吸着部それぞれが独立的に基板の吸着を行うことができる限り、その具体的な物理的構造及び電気回路的構造は任意に構成できる。
【００５８】
＜静電チャックシステムによる吸着及び分離方法と電圧の制御＞
以下、図４〜図７を参照して、静電チャック２４に基板Ｓ及びマスクＭを吸着及び分離する工程、及びその電圧制御について説明する。
【００５９】
（基板Ｓの吸着）
図４は、静電チャック２４に基板Ｓを吸着する工程を図示する。本実施形態においては、図４に示したように、基板Ｓの全面が静電チャック２４の下面に同時に吸着されるのではなく、静電チャック２４の第１辺（短辺）に沿って、一端から他端に向かって順次に吸着が進行する。ただし、本発明はこれに限定されず、例えば、静電チャック２４の対角線上の一つの角からこれと対向する他の角に向かって基板の吸着が進行されてもいい。また、静電チャック２４の中央部から周縁部に向かって基板の吸着が行われてもいい。
【００６０】
静電チャック２４の第１辺に沿って基板Ｓが順次に吸着されるようにするために、任意の手法を採用して良い。例えば、複数のサブ電極部２４１〜２４９に基板吸着のための第１電圧を印加する順番を制御してもよい。また、複数のサブ電極部２４１〜２４９に同時に第１電圧を印加するが、基板Ｓを支持する基板支持ユニット２２の支持部の構造や支持力を異ならせてもよい。
【００６１】
図４は、静電チャック２４の複数のサブ電極部２４１〜２４９に印加される電圧の制御によって、基板Ｓを静電チャック２４に順次に吸着させる実施形態を示す。ここでは、静電チャック２４の長辺方向（Ｙ方向）に沿って配置される３つのサブ電極部２４１，２４４，２４７が第１吸着部４１を成し、静電チャック２４の中央部の３つのサブ電極部２４２、２４５、２４８が第２吸着部４２を成し、残り３つのサブ電極部２４３、２４６、２４９が第３吸着部４３を成すことを前提に説明する。
【００６２】
まず、成膜装置１１の真空容器２１内に基板Ｓが搬入され、基板支持ユニット２２の支持部に載置される。
【００６３】
続いて、静電チャック２４が下降し、基板支持ユニット２２の支持部上に載置された基板Ｓに向かって移動する（図４ａ）。
静電チャック２４が基板Ｓに十分に近接または接触すると、電圧制御部３２は、静電チャック２４の第１辺（短手）に沿って第１吸着部４１から第３吸着部４３に向かって順次に第１電圧（Ｖ１）が印加されるよう制御する。
【００６４】
つまり、第１吸着部４１に先に第１電圧（Ｖ１）が印加され（図４ｂ）、次いで、第２吸着部４２に第１電圧（Ｖ１）が印加され（図４ｃ）、最終的に第３吸着部４３に第１電圧（Ｖ１）が加えられるように制御する（図４ｄ）。
【００６５】
第１電圧（Ｖ１）は、基板Ｓを静電チャック２４に確実に吸着させるために十分な大きさの電圧に設定される。
【００６６】
これにより、基板Ｓの静電チャック２４への吸着は、基板Ｓの第１吸着部４１に対応する側から、基板Ｓの中央部を経て、第３吸着部４３側に向かって進行していく（すなわち、Ｘ方向に基板Ｓの吸着が進行していく）このような制御により、基板Ｓは、基板中央部にしわを残さず、平らに静電チャック２４に吸着される。
【００６７】
本実施形態においては、静電チャック２４が基板Ｓに十分に近接或いは接触した状態で第１電圧（Ｖ１）を印加すると説明したが、静電チャック２４が基板Ｓに向かって下降を始める前に、或いは、下降の途中に第１電圧（Ｖ１）を印加してもいい。
【００６８】
基板Ｓの静電チャック２４への吸着工程が完了した後の所定の時点で、電圧制御部３２は、図４ｅに示したように、静電チャック２４の電極部に印加される電圧を、第１電圧（Ｖ１）から第１電圧（Ｖ１）より小さい第２電圧（Ｖ２）に下げる。
【００６９】
第２電圧（Ｖ２）は、基板Ｓを静電チャック２４に吸着された状態に維持するための吸着維持電圧であり、基板Ｓを静電チャック２４に吸着させる際に印加した第１電圧（Ｖ１）より低い電圧である。静電チャック２４に印加される電圧が第２電圧（Ｖ２）に下がると、これに対応して基板Ｓに誘導される分極電荷量も第１電圧（Ｖ１）が加えられた場合に比べて減少する。しかし、基板Ｓが一旦第１電圧（Ｖ１）によって静電チャック２４に吸着された以降は、第１電圧（Ｖ１）より低い第２電圧（Ｖ２）を印加しても基板の吸着状態を維持することができる。
【００７０】
このように、静電チャック２４の電極部に印加される電圧を第２電圧（Ｖ２）に下げることで、基板を静電チャック２４から分離するのにかかる時間を短縮することができる。つまり、静電チャック２４から基板Ｓを分離しようとする時、静電チャック２４の電極部に加えられる電圧をゼロ（０）にしても、直ちに静電チャック２４と基板Ｓとの間の静電引力が消えるのではなく、静電チャック２４と基板Ｓとの界面に誘導された電荷が消えるのに相当な時間（場合によっては、数分程度）がかかる。特に、静電チャック２４に基板Ｓを吸着させる際は、通常、その吸着を確実にするために、静電チャック２４に基板を吸着させるのに必要な最小静電引力（Ｆｔｈ）よりも十分に大きい静電引力が作用するように第１電圧（例えば、図５に示したＶｍａｘ）を設定するが、このような第１電圧から基板の分離が可能な状態になるまでは相当な時間がかかる。
【００７１】
そこで本実施例では、このような静電チャック２４からの基板Ｓの分離にかかる時間により全体的な工程時間（Ｔａｃｔ）が増加してしまうことを防止するために、基板Ｓが静電チャック２４に吸着した後に、所定の時点で、静電チャック２４に印加される電圧を第２電圧（Ｖ２）に下げる。
【００７２】
図示した実施例では、静電チャック２４の第１吸着部４１〜第３吸着部４３に印加される電圧を同時に第２電圧（Ｖ２）に下げることと示したが、本発明はこれに限定されず、吸着部別に、第２電圧（Ｖ２）に下げるタイミングや印加される第２電圧（Ｖ２）の大きさが、それぞれ異なるようにしてもいい。例えば、第１吸着部４１から第３吸着部４３に向かって順次に第２電圧（Ｖ２）に下げてもいい。
【００７３】
このように、静電チャック２４の電極部に印加される電圧が第２電圧（Ｖ２）に下がった後、静電チャック２４に吸着した基板Ｓとマスク支持ユニット２３上に載置されたマスクＭの相対的位置を調整（アライメント）する。本実施例では、静電チャック２４の電極部に印加される電圧が第２電圧（Ｖ２）に下がった後に基板ＳとマスクＭと間の相対的な位置調整（アライメント）を行うと説明したが、本発明はこれに限定されず、静電チャック２４の電極部に第１電圧（Ｖ１）が印加されている状態でアライメント工程を行ってもいい。
【００７４】
（マスクＭの吸着）
基板Ｓの吸着、および、基板ＳとマスクＭとのアライメント調整が終わると、吸着された基板Ｓを介してマスクＭをさらに静電チャック２４に吸着させる。具体的には、静電チ
ャック２４の電極部にマスクＭの吸着のための第３電圧（Ｖ３）を印加することで、基板Ｓを介してマスクＭを静電チャック２４に吸着させる。つまり、静電チャック２４に吸着した基板Ｓの下面にマスクＭを吸着させる。
【００７５】
図５は、静電チャック２４にマスクＭを吸着させる工程を示す。
まず、基板Ｓが吸着した静電チャック２４を静電チャックＺアクチュエータ２８によりマスクＭに向かって下降させる（図５ａ）。
【００７６】
静電チャック２４に吸着した基板Ｓの下面がマスクＭに十分に近接或いは接触すると、電圧制御部３２は、電圧印加部３１が静電チャック２４の電極部に第３電圧（Ｖ３）を印加するように制御する。
【００７７】
第３電圧（Ｖ３）は、第２電圧（Ｖ２）より大きく、基板Ｓを介してマスクＭが静電誘導によって帯電できる程度の大きさであることが好ましい。これによって、マスクＭが基板Ｓを介して静電チャック２４に吸着することができる。ただし、本発明はこれに限定されず、第３電圧（Ｖ３）は、第２電圧（Ｖ２）と同じ大きさを有してもいい。第３電圧（Ｖ３）が第２電圧（Ｖ２）と同じ大きさを有しても、前述した通り、静電チャック２４の下降によって静電チャック２４または基板ＳとマスクＭと間の相対的な距離が縮まるので、静電チャック２４の電極部に印加される電圧の大きさをより大きくしなくても、基板に静電誘導された分極電荷によってマスクＭにも静電誘導を起こせることができ、マスクＭが基板を介して静電チャック２４に吸着できる程度の吸着力が得られる。
【００７８】
第３電圧（Ｖ３）は、第１電圧（Ｖ１）より小さくしてもよく、工程時間（Ｔａｃｔ）の短縮を考慮して第１電圧（Ｖ１）と同等な程度の大きさにしてもいい。
【００７９】
図５に図示したマスク吸着工程では、マスクＭがシワを残さず、基板Ｓの下面に吸着できるように、電圧制御部３２は、第３電圧（Ｖ３）を静電チャック２４全体にわたって同時に印加するのではなく、第１辺に沿って第１吸着部４１から第３吸着部４３に向かって順次に印加する。
【００８０】
つまり、第１吸着部４１に先に第３電圧（Ｖ３）が印加され（図５ｂ）、次いで、第２吸着部４２に第３電圧（Ｖ３）が印加され（図５ｃ）、最後に、第３吸着部４３に第３電圧（Ｖ３）が加えられるように制御する（図５ｄ）。
これにより、マスクＭの静電チャック２４への吸着は、マスクＭの第１吸着部４１に対応する側からマスクＭの中央部を経て、第３吸着部４３側に向かって進行する（すなわち、Ｘ方向にマスクＭの吸着が進行する）。その結果、マスクＭは、マスクＭの中央部にしわを残すことなく、平らに静電チャック２４に吸着される。
【００８１】
本実施形態においては、静電チャック２４がマスクＭに近接或いは接触した状態で第３電圧（Ｖ３）を印加すると説明したが、静電チャック２４がマスクＭに向かって下降を始める前に、或いは、下降の途中に第３電圧（Ｖ３）を印加してもいい。
【００８２】
マスクＭの静電チャック２４への吸着工程が完了した後の所定の時点で、電圧制御部３２は、図５ｅに示したように、静電チャック２４の電極部に印加される電圧を、第３電圧（Ｖ３）から第３電圧（Ｖ３）より小さい第４電圧（Ｖ４）に下げる。
【００８３】
第４電圧（Ｖ４）は、静電チャック２４に基板Ｓを介して吸着されたマスクＭの吸着状態を維持するための吸着維持電圧であり、マスクＭを静電チャック２４に吸着させる時の第３電圧（Ｖ３）より低い電圧である。静電チャック２４に印加される電圧が第４電圧（Ｖ４）に下がると、これに対応してマスクＭに誘導される分極電荷量も、第３電圧（Ｖ３
）が加えられた場合に比べて減少するが、マスクＭが一旦第３電圧（Ｖ３）によって静電チャック２４に吸着された以後は、第３電圧（Ｖ３）より低い第４電圧（Ｖ４）を印加してもマスクの吸着状態を維持することができる。
【００８４】
このように、静電チャック２４の電極部に印加される電圧を第４電圧（Ｖ４）に下げることで、マスクＭを静電チャック２４から分離するのにかかる時間を減らすことができる。
つまり、静電チャック２４からマスクＭを分離しようとする時、静電チャック２４の電極部に加えられる電圧をゼロ（０）にしても、直ちに静電チャック２４とマスクＭとの間の静電引力が消えるのではなく、基板ＳとマスクＭとの界面に誘導された電荷が消えるのに相当な時間（場合によっては、数分程度）がかかる。特に、静電チャック２４にマスクＭを吸着させる際は、通常、その吸着を確実にし、吸着にかかる時間を短縮するために、十分に大きい電圧を印加するが、このような第３電圧からマスクの分離が可能な状態になるまでは相当な時間がかかる。
【００８５】
本実施例では、このような静電チャック２４からのマスクＭの分離にかかる時間により全体的な工程時間（Ｔａｃｔ）が増加してしまうことを防止するために、マスクＭが静電チャック２４に吸着した後に、所定の時点で、静電チャック２４に印加される電圧を第４電圧（Ｖ４）に下げる。
【００８６】
図示した実施例では、静電チャック２４の第１吸着部４１〜第３吸着部４３に印加される電圧を同時に第４電圧（Ｖ４）に下げることにしたが、本発明はこれに限定されず、吸着部別に第４電圧（Ｖ４）に下げる時点や印加される第４電圧（Ｖ４）の大きさがそれぞれ異なるようにしてもいい。例えば、第１吸着部４１から第３吸着部４３に向かって順次に第４電圧（Ｖ４）に下げてもいい。
【００８７】
このようにして、マスクＭが基板Ｓを介して静電チャック２４に吸着した状態で、蒸発源２５から蒸発された蒸着材料がマスクＭを介して基板Ｓに成膜される成膜工程が行われる。本実施例では、静電チャック２４による静電吸着力でマスクＭを保持すると説明したが、本発明はこれに限定されず、静電チャック２４の上部にマグネット板を追加で設置し、マグネット板によって金属製のマスクＭに磁力を印加することで、より確実にマスクＭを基板Ｓに密着させることにしてもよい。
【００８８】
（静電チャック２４からの基板ＳとマスクＭの分離）
基板ＳとマスクＭを静電チャック２４に吸着した状態で成膜工程が完了すると、静電チャック２４に印加される電圧制御を通じて、吸着された基板ＳとマスクＭを静電チャック２４から分離する。
【００８９】
図６は、静電チャック２４から基板ＳとマスクＭを分離する工程を示す。
図６ａに示すように、電圧制御部３２は、静電チャック２４の電極部に印加される電圧を、前述した吸着維持電圧である第４電圧（Ｖ４）から、マスクＭ及び基板Ｓの同時分離が可能な第５電圧（Ｖ５）に変更する。ここで、第５電圧（Ｖ５）は、静電チャック２４の吸着面に直接吸着されている基板Ｓと、基板Ｓを介して吸着されているマスクＭとの両方を、静電チャック２４から同時に分離するための分離電圧である。したがって、第５電圧（Ｖ５）は、基板ＳとマスクＭをそれぞれ静電チャック２４に吸着させる際に印加した吸着電圧（第１電圧Ｖ１、第３電圧Ｖ３）、及び基板ＳとマスクＭそれぞれの吸着維持のために印加した吸着維持電圧（第２電圧Ｖ２、第４電圧Ｖ４）よりも、低い大きさの電圧である。例えば、電圧制御部３２は、静電チャック２４の電極部にゼロ（０）の電圧（すなわち、オフさせる）を第５電圧（Ｖ５）として印加するか、または吸着時の電圧とは逆極性の電圧を第５電圧（Ｖ５）として印加することができる。その結果、マスクＭと基板
Ｓにそれぞれ誘導されていた分極電荷が除去され、マスクＭ及び基板Ｓが静電チャック２４から同時に分離される。
【００９０】
このように、本発明の一実施形態による構成では、静電チャック２４の吸着面から基板ＳとマスクＭを分離する際に、２つの被吸着体（基板Ｓ及びマスクＭ）に誘導されていた全ての分極電荷をともに除去できる、十分に低い大きさの分離電圧（Ｖ５；ゼロ電圧または逆極性の電圧）を静電チャック２４に印加することによって、静電チャック２４から２つの被吸着体（基板Ｓ及びマスクＭ）が共に分離されるようにしている。
【００９１】
このような構成によれば、静電チャック２４の吸着面から分離される際に、絶縁性の被吸着体である基板Ｓと、通常、金属材からなる被吸着体であるマスクＭとが、相互接触を維持した状態で分離されるようになる。したがって、分離電圧（Ｖ５）印加により各被吸着体に誘導されている分極電荷を除電させる際に、マスクＭ側の分極電荷が接地されたマスク支持ユニット２３を介して除去されるとともに、絶縁性の被吸着体である基板Ｓ側の分極電荷も、接触状態を維持する金属性のマスクＭを介して共に迅速に除去される。したがって、静電チャック２４からの２つの被吸着体の分離をより迅速に行うことができる。
【００９２】
また、詳細な図示は省略したが、静電チャック２４に印加される電圧を分離電圧である第５電圧（Ｖ５）に下げる図６ａの工程においては、静電チャック２４の吸着部別に第５電圧（Ｖ５）に下げる時点を異ならせるように制御することが好ましい。特に、前述したように、基板ＳとマスクＭをそれぞれ吸着する工程において第１吸着部４１から第３吸着部４３に向かって順次に吸着電圧（Ｖ１、Ｖ３）をそれぞれ印加し吸着させた場合には（図４ｂ〜図４ｄ、及び図５ｂ〜図５ｄ参照）、基板ＳとマスクＭの同時分離の際にも同様に、第１吸着部４１から第３吸着部４３に向かって順次に分離電圧である第５電圧（Ｖ５）を印加するように制御することが好ましい。
【００９３】
つまり、吸着電圧が先に印加された領域に、分離電圧も先に印加されるように制御する。これは、吸着電圧が先に印加された静電チャック電極部（前述の例では、第１吸着部４１）に対応する被吸着体（基板ＳとマスクＭ）の領域では、吸着電圧が後で印加される静電チャック電極部（前述の例では、第３吸着部４３）に対応する被吸着体領域よりも、静電チャック２４に吸着されていた期間が長いため、残存する分極電荷量の大きさも大きいからである。
【００９４】
本発明に係る実施形態では、このように相対的に吸着期間が長く分極電荷量の大きさが大きい領域から、分離電圧（Ｖ５）が順次に印加されるように制御することによって、静電チャック２４から被吸着体（基板ＳとマスクＭ）の全体が分離されるまでの時間をさらに短縮することができる。また、このように分離電圧（Ｖ５）が印加される領域を、吸着による分極電荷量の大きさが大きい領域から順次に拡張させていくことによって、静電チャック２４の吸着面から被吸着体（基板ＳとマスクＭ）が分離されるタイミングを吸着面内において均一化することができる。
【００９５】
一方、上述のように静電チャック２４の吸着部別に第５電圧（Ｖ５）に下げる時点を異ならせる制御の他に、印加される第５電圧（Ｖ５）の大きさを吸着部別に変える制御を行ってもよい。つまり、上述した例の場合、吸着電圧が先に印加された静電チャック電極部（第１吸着部４１）により大きい分離電圧（Ｖ５）を印加し（電位差が比較的大きくなるように電圧を印加し）、吸着電圧が後で印加される静電チャック電極部（第３吸着部４３）により小さい分離電圧（Ｖ５）を印加する（電位差が比較的小さくなるように電圧を印加する）ように制御してもよい。このように、分離電圧として印加される第５電圧（Ｖ５）の大きさを、基板とマスクの同時分離を可能にする電圧の範囲内で、吸着電圧が印加される順序に応じて、吸着領域別に異ならせるように制御しても、同様の効果を得ることが
できる。
【００９６】
以上、分離電圧である第５電圧（Ｖ５）を印加する時点や大きさを吸着領域別に異ならせるように制御する例について説明したが、本発明はこれに限定されない。つまり、本発明は、以上説明したように、二つの被吸着体（基板ＳとマスクＭ）に誘導されたすべての分極電荷を共に除去できる、十分に低い大きさの分離電圧（Ｖ５；ゼロ電圧または、吸着電圧と逆極性の電圧）を静電チャック２４に印加することによって、静電チャック２４から２つの被吸着体（基板ＳとマスクＭ）が共に分離されるようにすることを特徴としている。このような構成を取る限り、静電チャック２４の複数の吸着領域への分離電圧（Ｖ５）の印加において、第１吸着部４１〜第３吸着部４３に印加される電圧を同時に第５電圧（Ｖ５）に下げるように制御してもよい。
【００９７】
図６に戻って説明を続ける。上述のように基板ＳとマスクＭが接触を維持した状態で静電チャック２４からともに分離され、基板支持ユニット２２およびマスク支持ユニット２３上に載置されると、静電チャックＺアクチュエータ２８によって静電チャック２４を上昇させ、続いて、基板Ｚアクチュエータ２６により基板支持ユニット２２を上昇させて、基板ＳをマスクＭから離隔させることで、分離工程が完了する（図６ｂ）。
【００９８】
以下、図７を参照して、静電チャック２４により基板ＳおよびマスクＭを吸着して保持する過程において、静電チャック２４の電極部またはサブ電極部に印加される電圧の制御について説明する。
【００９９】
まず、基板Ｓを静電チャック２４に吸着させるために、所定の時点（ｔ１）で静電チャック２４の電極部またはサブ電極部に第１電圧（Ｖ１）を印加する。
第１電圧（Ｖ１）は、基板Ｓを静電チャック２４に吸着させるのに十分な静電吸着力が得られる大きさを有し、静電チャック２４の電極部またはサブ電極部に第１電圧が印加されてから基板Ｓに分極電荷が発生するまでかかる時間を短縮するために可能な限り大きい電圧であることが好ましい。例えば、電圧印加部３１によって印加可能な最大電圧（Ｖｍａｘ）を印加することが好ましい。
【０１００】
続いて、印加された第１電圧によって基板Ｓに分極電荷が誘導され、基板Ｓが静電チャック２４に十分な静電吸着力で吸着した後（ｔ＝ｔ２）に、静電チャック２４の電極部またはサブ電極部に印加される電圧を第２電圧（Ｖ２）に下げる。第２電圧（Ｖ２）は、例えば、基板Ｓが静電チャック２４に吸着した状態を維持できる最も低い電圧（Ｖｍｉｎ）であればよい。
【０１０１】
続いて、マスクＭを基板Ｓを介して静電チャック２４に吸着させるために、静電チャック２４の電極部またはサブ電極部に印加される電圧を第３電圧（Ｖ３）に上げる（ｔ＝ｔ３）。第３電圧（Ｖ３）は、マスクＭを基板Ｓを介して静電チャック２４に吸着させるための電圧であるので、第２電圧（Ｖ２）よりも大きいことが好ましく、工程時間を考慮して電圧印加部３１が印加できる最大電圧（Ｖｍａｘ）であることがより好ましい。
【０１０２】
本実施形態では、成膜工程後に基板ＳおよびマスクＭを静電チャック２４から分離するのにかかる時間を短縮するために、静電チャック２４の電極部またはサブ電極部に印加される電圧を第３電圧（Ｖ３）に維持せず、より小さい第４電圧（Ｖ４）に下げる（ｔ＝ｔ４）。ただし、マスクＭが基板Ｓを介して静電チャック２４に吸着した状態を維持するために、第４電圧（Ｖ４）は、基板Ｓのみが静電チャック２４に吸着された状態を維持するのに必要な第２電圧（Ｖ２）より大きい電圧であることが好ましい。
【０１０３】
成膜工程が完了した後（ｔ５）に、基板ＳとマスクＭを静電チャック２４から分離する
ために、静電チャック２４の電極部に印加される電圧を、分離電圧である第５電圧（Ｖ５）に下げる。つまり、静電チャック２４の電極部に印加される電圧をゼロ（０）に下げるか（すなわち、オフにするか）、吸着時の電圧とは反対極性の電圧を印加する。これにより、基板ＳとマスクＭに誘導されていた分極電荷が除去され、基板ＳとマスクＭが相互接触を維持した状態で静電チャック２４から分離される。続いて、基板支持ユニット２２を上昇させ、基板ＳをマスクＭから離隔させることで、静電チャック２４からの分離工程を完了する。
【０１０４】
＜成膜プロセス＞
以下、本実施形態による静電チャックの電圧制御を採用した成膜方法について説明する。
真空容器２１内のマスク支持ユニット２３にマスクＭが載置された状態で、搬送室１３の搬送ロボット１４によって成膜装置１１の真空容器２１内に基板が搬入される。
【０１０５】
真空容器２１内に進入した搬送ロボット１４のハンドが下降し、基板Ｓを基板支持ユニット２２の支持部上に載置する。
【０１０６】
続いて、静電チャック２４が基板Ｓに向かって下降し、基板Ｓに十分に近接或いは接触した後に、静電チャック２４に第１電圧（Ｖ１）を印加し、基板Ｓを吸着する。
【０１０７】
本発明の一実施形態においては、基板を静電チャック２４から分離するのに必要な時間を最大限に確保するために、基板の静電チャック２４への吸着が完了した後に、静電チャック２４に加えられる電圧を第１電圧（Ｖ１）から第２電圧（Ｖ２）に下げる。静電チャック２４に加えられる電圧を第２電圧（Ｖ２）に下げても、第１電圧（Ｖ１）によって基板に誘導された分極電荷が放電されるまでに時間がかかるため、以降の工程で静電チャック２４による基板への吸着力を維持することができる。したがって、第２電圧（Ｖ２）の大きさや印加時間は、成膜完了まで基板吸着を維持できる範囲の値とする。
【０１０８】
静電チャック２４に基板Ｓが吸着された状態で、基板ＳのマスクＭに対する相対的な位置ずれを計測するために、基板ＳをマスクＭに向かって下降させる。本発明の他の実施形態においては、静電チャック２４に吸着された基板の下降の過程で基板が静電チャック２４から脱落することを確実に防止するために、基板の下降の過程が完了した後（つまり、後述するアライメント工程が開始する直前）に、静電チャック２４に加える電圧を第２電圧（Ｖ２）に下げる。
【０１０９】
基板Ｓが計測位置まで下降すると、アライメント用カメラ２０で、基板ＳとマスクＭに形成されたアライメントマークを撮影して、基板とマスクの相対的な位置ずれを計測する。本発明の他の実施形態では、基板とマスクの相対的位置の計測工程の精度をより高めるために、アライメントのための計測工程が完了した後（アライメント工程中）に、静電チャック２４に加えられる電圧を第２電圧に下げる。つまり、静電チャック２４に基板を第１電圧（Ｖ１）によって強く吸着させた状態（基板をより平らに維持した状態）での基板とマスクのアライメントマークを撮影することにより、計測工程の精度を上げることができる。
【０１１０】
計測の結果、基板のマスクに対する相対的位置ずれが閾値を超えると判定された場合、静電チャック２４に吸着された状態の基板ＳをＸ方向移動、Ｙ方向移動、θ回転させて、基板をマスクに対して位置調整（アライメント）する。本発明の他の実施形態においては、このような位置調整の工程が完了した後に、静電チャック２４に加えられる電圧を第２電圧（Ｖ２）に下げる。このように、アライメント中は比較的高い第１電圧（Ｖ１）をかけることで基板を確実に保持しておき、その後で電圧を第２電圧（Ｖ２）に下げる。これ
によって、アライメント工程全体（相対的な位置計測や位置調整）にわたって精度をより高めることができる。
【０１１１】
アライメント工程の後、マスクＭを基板Ｓを介して静電チャック２４に吸着させる。そのために、静電チャック２４の電極部またはサブ電極部に第２電圧よりも大きい第３電圧（Ｖ３）を印加する。
【０１１２】
マスクＭの吸着工程が完了した後、静電チャック２４の電極部またはサブ電極部に印加される電圧を、静電チャック２４に基板とマスクが吸着された状態を維持することができる電圧である、第４電圧（Ｖ４）に下げる。これにより、成膜工程の完了後に基板ＳおよびマスクＭを静電チャック２４から分離するのにかかる時間を短縮することができる。
【０１１３】
続いて、蒸発源２５のシャッタを開け、蒸着材料をマスクを介して基板Ｓに蒸着させる。蒸着材料を所望の厚さに蒸着した後、静電チャック２４の電極部またはサブ電極部に印加される電圧を第５電圧（Ｖ５；ゼロ（０）または逆極性の電圧）に下げて、静電チャック２４から基板ＳとマスクＭを共に分離する。続いて、基板ＳをマスクＭから離隔させ搬出位置まで持ち上げた後、成膜装置１１内に進入した搬送ロボット１４のハンドにより真空容器２１の外部に搬出する。
【０１１４】
＜電子デバイスの製造方法＞
次に、本実施形態の成膜装置を用いた電子デバイスの製造方法の一例を説明する。以下、電子デバイスの例として有機ＥＬ表示装置の構成及び製造方法を例示する。
【０１１５】
まず、製造する有機ＥＬ表示装置について説明する。図８（ａ）は有機ＥＬ表示装置６０の全体図、図８（ｂ）は１画素の断面構造を表している。
【０１１６】
図８（ａ）に示すように、有機ＥＬ表示装置６０の表示領域６１には、発光素子を複数備える画素６２がマトリクス状に複数配置されている。詳細は後で説明するが、発光素子のそれぞれは、一対の電極に挟まれた有機層を備えた構造を有している。なお、ここでいう画素とは、表示領域６１において所望の色の表示を可能とする最小単位を指している。本実施例にかかる有機ＥＬ表示装置の場合、互いに異なる発光を示す第１発光素子６２Ｒ、第２発光素子６２Ｇ、第３発光素子６２Ｂの組合せにより画素６２が構成されている。画素６２は、赤色発光素子と緑色発光素子と青色発光素子の組合せで構成されることが多いが、黄色発光素子とシアン発光素子と白色発光素子の組み合わせでもよく、少なくとも１色以上であれば特に制限されるものではない。
【０１１７】
図８（ｂ）は、図８（ａ）のＡ−Ｂ線における部分断面模式図である。画素６２は、基板６３上に、陽極６４と、正孔輸送層６５と、発光層６６Ｒ、６６Ｇ、６６Ｂのいずれかと、電子輸送層６７と、陰極６８と、を備える有機ＥＬ素子を有している。これらのうち、正孔輸送層６５、発光層６６Ｒ、６６Ｇ、６６Ｂ、電子輸送層６７が有機層に当たる。また、本実施形態では、発光層６６Ｒは赤色を発する有機ＥＬ層、発光層６６Ｇは緑色を発する有機ＥＬ層、発光層６６Ｂは青色を発する有機ＥＬ層である。発光層６６Ｒ、６６Ｇ、６６Ｂは、それぞれ赤色、緑色、青色を発する発光素子（有機ＥＬ素子と記述する場合もある）に対応するパターンに形成されている。また、陽極６４は、発光素子ごとに分離して形成されている。正孔輸送層６５と電子輸送層６７と陰極６８は、複数の発光素子６２Ｒ、６２Ｇ、６２Ｂと共通で形成されていてもよいし、発光素子毎に形成されていてもよい。なお、陽極６４と陰極６８とが異物によってショートするのを防ぐために、陽極６４間に絶縁層６９が設けられている。さらに、有機ＥＬ層は水分や酸素によって劣化するため、水分や酸素から有機ＥＬ素子を保護するための保護層７０が設けられている。
【０１１８】
図８（ｂ）では正孔輸送層６５や電子輸送層６７が一つの層で示されているが、有機ＥＬ表示素子の構造によって、正孔ブロック層や電子ブロック層を含む複数の層で形成されてもよい。また、陽極６４と正孔輸送層６５との間には陽極６４から正孔輸送層６５への正孔の注入が円滑に行われるようにすることのできるエネルギーバンド構造を有する正孔注入層を形成することもできる。同様に、陰極６８と電子輸送層６７の間にも電子注入層が形成されることができる。
【０１１９】
次に、有機ＥＬ表示装置の製造方法の例について具体的に説明する。
まず、有機ＥＬ表示装置を駆動するための回路（不図示）および陽極６４が形成された基板６３を準備する。
【０１２０】
陽極６４が形成された基板６３の上にアクリル樹脂をスピンコートで形成し、アクリル樹脂を、リソグラフィ法により、陽極６４が形成された部分に開口が形成されるようにパターニングし絶縁層６９を形成する。この開口部が、発光素子が実際に発光する発光領域に相当する。
【０１２１】
絶縁層６９がパターニングされた基板６３を第１の有機材料成膜装置に搬入し、基板保持ユニット及び静電チャックにて基板を保持し、正孔輸送層６５を、表示領域の陽極６４の上に共通する層として成膜する。正孔輸送層６５は真空蒸着により成膜される。実際には正孔輸送層６５は表示領域６１よりも大きなサイズに形成されるため、高精細なマスクは不要である。
【０１２２】
次に、正孔輸送層６５までが形成された基板６３を第２の有機材料成膜装置に搬入し、基板保持ユニット及び静電チャックにて保持する。基板とマスクとのアライメントを行い、基板をマスク上に載置して、基板６３の赤色を発する素子を配置する部分に、赤色を発する発光層６６Ｒを成膜する。
【０１２３】
発光層６６Ｒの成膜と同様に、第３の有機材料成膜装置により緑色を発する発光層６６Ｇを成膜し、さらに第４の有機材料成膜装置により青色を発する発光層６６Ｂを成膜する。発光層６６Ｒ、６６Ｇ、６６Ｂの成膜が完了した後、第５の成膜装置により表示領域６１の全体に電子輸送層６７を成膜する。電子輸送層６７は、３色の発光層６６Ｒ、６６Ｇ、６６Ｂに共通の層として形成される。
【０１２４】
電子輸送層６７まで形成された基板を金属性蒸着材料成膜装置で移動させて陰極６８を成膜する。第１の有機材料成膜装置〜第４の有機材料成膜装置や、金属製蒸着材料成膜装置としては、上述した成膜装置１１を利用することができる。
本発明による成膜プロセスでは、基板とマスクを静電チャック２４に吸着させた後、所定の時点で静電チャック２４に印加する電圧をあらかじめ下げておく。そして成膜工程を完了した後、基板とマスクを静電チャックから分離する際には、分離電圧として、ゼロ（０）（つまり、オフにする）または吸着時の電圧とは反対極性の電圧を印加する。その結果、静電チャック２４から基板とマスクが相互接触を維持した状態で同時に分離される。これにより、基板とマスクを静電チャック２４から分離するのにかかる時間を短縮し、工程時間を減らすことができる。
【０１２５】
その後基板をプラズマＣＶＤ装置に移動して保護層７０を成膜して、有機ＥＬ表示装置６０が完成する。
【０１２６】
絶縁層６９がパターニングされた基板６３を成膜装置に搬入してから保護層７０の成膜が完了するまでは、水分や酸素を含む雰囲気にさらしてしまうと、有機ＥＬ材料からなる発光層が水分や酸素によって劣化してしまうおそれがある。従って、本例において、成膜
装置間の基板の搬入搬出は、真空雰囲気または不活性ガス雰囲気の下で行われる。
【０１２７】
上記実施例は本発明の一例を現わしたことで、本発明は上記実施例の構成に限定されないし、その技術思想の範囲内で適切に変形してもよい。
【符号の説明】
【０１２８】
１：クラスタ装置
１１：成膜装置
１２：マスクストック装置
１３：搬送室
１４：搬送ロボット
２０：アライメント用カメラ
２１：真空容器
２２：基板支持ユニット
２３：マスク支持ユニット
２４：静電チャック
２５：蒸発源
２８：静電チャックＺアクチュエータ
２９：位置調整機構
３０：静電チャックシステム
３１：電圧印加部
３２：電圧制御部
３３：電極対
４１〜４３：第１吸着部〜第３吸着部
２４１〜２４９：サブ電極部
３３１：第１電極
３３２：第２電極
【図１】
2020053663.tif 000003
【図２】
2020053663.tif 000004
【図３ａ】
2020053663.tif 000005
【図３ｂ】
2020053663.tif 000006
【図３ｃ】
2020053663.tif 000007
【図４】
2020053663.tif 000008
【図５】
2020053663.tif 000009
【図６】
2020053663.tif 000010
【図７】
2020053663.tif 000011
【図８】
2020053663.tif 000012